(57)【要約】【課題】送り手から受け手に大容量の記憶媒体を用いて送り手に関する情報を伝達する記憶媒体を用いた情報伝達物を提供すること。【解決手段】情報伝達物１０は、記憶媒体を挿入する挿入ケース１２と、挿入ケース１２を添付する台紙１１と、商品の情報などの送り手の具体的な情報が記憶された記憶媒体１３と、で一体に構成されている。このようにして、送り手に関する情報が記憶された記憶媒体を有しているので、商品の内容や送り手の情報などを具体的に記載することができ、送り手の具体的な情報を受け手に提示することができる。【選択図】図１
0003151228.tif 000002
【実用新案登録請求の範囲】
【請求項１】
送り手から受け手に対して送り手に関する情報を郵送又は配布する情報伝達物であって、
情報伝達物は、送り手に関する情報を記憶した記憶媒体と、
上記記憶媒体を挿入する挿入ケースと、
上記記憶媒体を挿入した状態の挿入ケースを添付すると共に、送り手に関する情報の内容を記載するスペースを有する台紙と、を一体に構成したことを特徴とする記憶媒体を用いた情報伝達物。
【請求項２】
上記記憶媒体は、カード型のメモリであることを特徴とする請求項１に記載の記憶媒体を用いた情報伝達物。
【請求項３】
上記挿入ケース内には、複数個のカードメモリを挿入すると共に、カード型メモリを読み取る機種対応の変換アダプタを挿入したことを特徴とする請求項1又は請求項２に記載の記憶媒体を用いた情報伝達物。
【考案の詳細な説明】
【技術分野】
【０００１】
本考案は、商品などの広告や使用方法が記載されたＤＭや販売促進品などの情報伝達物、又は挨拶状や年賀状を通して送り手の情報を郵送（配送）・配布する情報伝達物に関するものである。
【背景技術】
【０００２】
従来から商品の販売促進用の郵送物（配送物）・配布物として、ダイレクトメール又はチラシなどがある。ダイレクトメールなどは、はがきの台紙上に商品の効果的な内容や使用方法などが記載されたものがある。そして、台紙に色彩やデザインを施して購買意欲を高めようとするものがある。さらには、携帯電話を用いてＱＲコード（登録商標）により商品の情報が記載されたホームページに、消費者からアクセスさせて、販売促進を行う方法も知られている（例えば、特許文献１に記載）。
【先行技術文献】
【特許文献】
【０００３】
【特許文献１】特願２００７−２４１６１７号公報
【考案の概要】
【考案が解決しようとする課題】
【０００４】
ところが、商品の内容やサンプルの内容を、情報伝達物の台紙上に記載しても、記載する面積が限られているため、商品の内容を具体的に記載することができない。これにより、需要者から商品の具体的な内容が消費者に対してうまく伝わらず、消費者は商品の内容を具体的に知り得ない状態を有していた。
【０００５】
また、商品の広告内容について、色彩やデザインを良くすることで、消費者に対して購買意欲を高めることができるが、上記したダイレクトメールなどでは、記載される面積が限られると共に、また印刷や加工などを工夫する必要がある。
【０００６】
さらに、上記したＱＲコードを用いた方法では、消費者のみならず需要者にもアクセスの料金が発生するので、長期間使用すると販促費用の増大になってしまうおおそれがある。
【０００７】
さらには、年賀状や挨拶状としてはがきに写真を載せて、写真などを載せるスペースが限られているため、送り手から受け手に多く情報を伝達することができない。
【０００８】
この発明は、上記課題を解決するためになされたもので、送り手から受け手に大容量の記憶媒体を用いて送り手に関する情報を伝達する記憶媒体を用いた情報伝達物を提供することを目的とする。
【課題を解決するための手段】
【０００９】
そこで、請求項１に記載の考案は、送り手から受け手に対して送り手に関する情報を郵送又は配布する情報伝達物であって、情報伝達物は、送り手に関する情報を記憶した記憶媒体と、上記記憶媒体を挿入する挿入ケースと、上記記憶媒体を挿入した状態の挿入ケースを添付すると共に、送り手に関する情報の内容を記載するスペースを有する台紙と、を一体に構成したことを特徴とする。
【００１０】
請求項２に記載の考案は、請求項１に記載の考案において、上記記憶媒体は、カード型のメモリであることを特徴とする。
【００１１】
請求項３に記載の考案は、請求項１又は請求項２に記載の考案において、上記挿入ケース内には、複数個のカードメモリを挿入すると共に、カード型メモリを読み取る機種対応の変換アダプタを挿入したことを特徴とする。
【考案の効果】
【００１２】
請求項１に記載の考案によれば、送り手から受取者に対して送り手に関する情報を配信する情報伝達物であって、情報伝達物は、送り手に関する情報を記憶した記憶媒体と、上記記憶媒体を挿入する挿入ケースと、上記記憶媒体を挿入した状態の挿入ケースを添付すると共に、送り手に関する情報の内容を記載するスペースを有する台紙と、を一体に構成している。
【００１３】
このようにして、商品またはサンプルの内容が記憶された記憶媒体を有しているので、商品の内容や使用方法を具体的に記載することができ、消費者に対して商品の具体的な情報を提示することができる。また、色彩のデザインなどをデータ上で厚く施すことにより、消費者に対して購買意欲を高めることができる。さらに、商品の情報を記憶媒体に記憶することにより、情報伝達物をコンパクトにすることができ、第１種定形郵便物料金で郵送可能である。さらに、従来のＱＲコードによるホームページにアクセスするアクセス料金が発生せず、販売促進費用を安くすることができる。
【００１４】
請求項２に記載の考案によれば、上記記憶媒体は、カード型のメモリであるので、商品の内容や使用方法を多く記憶することができ、消費者に対して商品の内容を具体的に提示することができる。また、カード型のメモリは、薄くて小型であるので、上記挿入ケースを薄くすることができ、第１種定形郵便物料金で郵送可能である。
【００１５】
請求項３に記載の考案によれば、上記挿入ケース内には、複数個のカードメモリを挿入すると共に、カード型メモリを読み取る機種対応の変換アダプタを挿入したので、さまざまな大きさを有するカード型メモリでも、アダプタを介してパソコンのメモリに保持することができ、携帯電話においても読み込み可能としている。
【図面の簡単な説明】
【００１６】
【図１】この考案の実施例１におけるダイレクトメールとしての情報伝達物の全体構成を示した斜視図である。
【図２】この考案の実施例１における情報伝達物の各構成部品を展開した状態を示した斜視図である。
【図３】この考案の実施例２における年賀状としての情報伝達物の全体構成を示した斜視図である。
【図４】この考案の実施例３における入場券としての情報伝達物の全体構成を示した斜視図である。
【考案を実施するための形態】
【００１７】
本実施形態における情報伝達物は、商品の内容の情報が記憶された記憶媒体と、記憶媒体及び上記商品を挿入する挿入ケースと、上記記憶媒体及び上記商品を挿入した状態の挿入ケースを添付すると共に、商品の内容を記載するスペースを有する台紙と、で一体に構成している。
【００１８】
台紙は、その大きさは限定されないが、例えば郵送可能なはがきサイズを有するものである。また、表紙には、特定の消費者に対して送るあて先や郵便番号などを記載するスペースを有している。裏面には、商品の広告などを記載するスペースを有している。
【００１９】
記憶媒体としては、ＳＤカード（登録商標）又はｍｉｃｒｏＳＤカード（登録商標）などのフラッシュメモリを備えたカード型のメモリである。ＳＤカードは、薄くて小型のメモリカードで、数メガビットから数ギガビット程度の記憶容量を持つ情報を記憶させることができる。
【００２０】
カード型メモリの変換アダプタとしては、携帯電話、パソコン又はテレビなどで読み取る機種対応のものである。
【００２１】
また、ＳＤカードは、薄く形成されているので、挿入する挿入ケースを薄くすることができる。これにより、第１種定形郵便はがきの台紙に添付して郵送することもできる。
【００２２】
挿入ケースとしては、略箱形状のプラスチックケースなどが用いられる。挿入ケースは、カード型メモリを所持移動する時に、衝撃防止や紛失防止を図ると共に、カード型メモリ内の記憶の保護を図っている。
【００２３】
挿入ケースは、上記記憶媒体を挿入するサイズを有するもので、その薄型の記憶媒体を挿入可能であればケースサイズを可及的に薄型にすることができる。ケースサイズを薄型にすれば、第１種定形郵便物料金で郵送可能である。
【００２４】
または、別の実施形態としては、化粧品などの商品のサンプルを、その商品の内容が記載された台紙上に添付すると共に、商品のケースに記憶媒体を挿入して一体にした情報伝達物とすることもできる。
【００２５】
例えば、顔に塗る化粧水の商品について、試用品を小型の商品ケースに挿入すると共に、その小型の商品ケースに、ＳＤカードを挿入することもできる。そのＳＤカードには、化粧水の効能や使用方法などの情報が記憶されている。
【００２６】
また、上記化粧水のサンプルを添付する台紙には、化粧水の広告などが記載されている。そのような、化粧水のサンプルを販売促進用として、街頭にて配布するなどして、消費者に対して購買意欲を高めることができる。
【００２７】
さらには、別の実施形態としては、ＣＤショップにおいて、新曲などＣＤをＣＤケース内に入れて台紙上に添付し、上記ＣＤケースにＳＤカードを挿入することもできる。そのＳＤカードには、新曲の情報やその曲を歌う歌手の情報などを記憶することもできる。また、動画なども記憶することができる。
【００２８】
このようにして、商品またはサンプルの内容が記憶された記憶媒体を有しているので、商品の内容や使用方法を具体的に記載することができ、受け手に対して商品の情報などの送り手の具体的な情報を提示することができる。また、その情報の色彩のデザインなどをデータ上できめ細かく作成することで、これにより消費者に対して購買意欲を高めることができる。さらに、商品の情報を記憶媒体に記憶することにより、情報伝達物をコンパクトにすることができ、第１種定形郵便物料金で郵送可能である。
【実施例１】
【００２９】
以下、実施例１として、ダイレクトメールなどの情報伝達物１０について図面を参照して説明する。
【００３０】
ダイレクトメールなどの情報伝達物１０は、図１に示すように、記憶媒体を挿入する挿入ケース１２と、挿入ケース１２を添付する台紙１１と、商品などの情報が記憶された記憶媒体（後述するｍｉｃｒｏＳＤカード１３又はＳＤカード）と、で一体に構成されている。
【００３１】
台紙１１は、その大きさは限定されないが、例えば、図１に示すように、はがきサイズの大きさを有している。また、表紙Ａには、郵便番号やあて先などが記載されている。これにより、郵送物又は宅配物としてポストなどに投函可能としている。さらに、台紙１１の裏面Ｂには、商品の内容や、展示内容を示す広告などが記載されるスペースを有している。
【００３２】
挿入ケース１２は、図２に示すように、記憶媒体（後述するｍｉｃｒｏＳＤカード１３）が挿入された緩衝体１４を背面側と下部側から支持すると共に、前面側の下部を除く部分が開放されたケース本体１２ａと、このケース本体１２ａにおいて、緩衝体１４の下部側を支持している一側両端に回動自在に軸支されて、ケース本体１２ａの開放部分を開閉自在に閉塞する蓋体１２ｂとを備えている。
【００３３】
また、ケース本体１２ａは、前記蓋体１２ｂが軸支されている一側両端間に、上記緩衝体１４が前側へ倒れることを防止する前面下部支持体１２ｃと、緩衝体１４が左右方向にずれることを防止する両側支持体１２ｄとを備えている。
【００３４】
また、蓋体１２ｂは、その軸支部に、当該蓋体１２ｂの回動範囲を閉塞状態から回動角度が略３００度までに制限するストッパ１２ｅが形成されている。
【００３５】
また、挿入ケース１２内には、記憶媒体を挿入する緩衝体１４を挿入可能としている。緩衝体１４は、挿入ケース１２内に挿入可能な大きさを有している。緩衝体１４には、下記のｍｉｃｒｏＳＤカード１３又は交換アダプタ１６を挿入する凹部１５が複数個形成されている。
【００３６】
挿入ケース１２に挿入する記憶媒体としては、ｍｉｃｒｏＳＤカード１３を使用する。ｍｉｃｒｏＳＤカード１３は、フラッシュメモリを用いた薄くて小型のメモリカードで、数メガビットから数ギガビット程度の記憶容量を持つ情報を記憶することができる。
【００３７】
そして、図２に示すように、上記緩衝体１４の凹部１５にｍｉｃｒｏＳＤカード１３又は交換アダプタ１６を挿入し、緩衝体１４を挿入ケース１２に挿入することより、挿入ケース１２に収納することができるように構成している。
【００３８】
さらに、挿入ケース１２にｍｉｃｒｏＳＤカード１３を挿入し、挿入ケース開封防止シール１７を貼り、台紙１１上に載置すると共に両面テープなどで貼着させる。このようにして、台紙１１上に記憶媒体を挿入した挿入ケース１２を一体に構成して情報伝達物１０を完成させることができる。
【００３９】
このようにして、完成させた情報伝達物１０は、消費者を特定して郵便にて郵送したり、街頭にて歩行者に配布したりして、消費者に購買意欲を促すようにしている。そして、消費者は、受け取った情報伝達物１０から台紙１１から挿入ケース１２を取り外し、挿入ケース１２からｍｉｃｒｏＳＤカード１３を取り出して、そのｍｉｃｒｏＳＤカード１３内に記憶された商品の情報を取り出せるようにしている。
【００４０】
また、ｍｉｃｒｏＳＤカード１３は、携帯電話のスロット（図示せず）に差込むことにより、そのカード内の情報を携帯電話の表示画面にて確認することができる。また、変換アダプタ１７を介してパソコンやテレビにて確認することができる。
【００４１】
上記ｍｉｃｒｏＳＤカード１３のメモリには、具体的な商品の情報を記憶することができる。例えば、新製品の情報や展示会などの情報を記憶することができる。また、商品の色彩やデザインを鮮やかにすることで、消費者に購買意欲を高めるようにすることができる。
【実施例２】
【００４２】
実施例２では、年賀状の情報伝達物１０について図３を参照して説明する。すなわち、図３に示すように、表紙Ａに郵便番号やあて先などが記載される年賀はがきとしての台紙１１を有する。また、挿入ケース１２には、複数個のｍｉｃｒｏＳＤカード１３、ＳＤカード、交換アダプタ１６などが緩衝体１４の凹部に挿入されている。なお、実施例１で用いた符号は、図３に示した実施例２の年賀状と同じ構成要素については同一のものを用いている。
【００４３】
そして、ｍｉｃｒｏＳＤカード１３内には、年賀状としての新年のあいさつの言葉や複数枚の写真などを記憶可能としている。例えば、実家の両親に年賀状を送る場合に、孫の写真の複数枚をｍｉｃｒｏＳＤカード１３内に記憶させたものを送ることで、正月のあいさつと共に、家族の健康状態の情報などを両親に対して伝達することができる。
【００４４】
なお、上記では、年賀状について説明したが、これに限られず、暑中見舞いやクリスマスカードやお祝い電報などにも利用することができる。お祝い電報では、友人や知人よりのお祝いの言葉や動画等をｍｉｃｒｏＳＤカード１３などに記憶させた記憶媒体（ｍｉｃｒｏＳＤカード１３）を郵便電報と記載された台紙１１上に添付することにより、動画によるお祝いの電報として機能させることができ、このお祝いの電報としてのご挨拶がご結婚される新郎・新婦にとってめでたい結婚の感動を高めることができる。
【実施例３】
【００４５】
実施例３では、遊園地や動物園などの入場券の情報伝達物１０について図３を参照して説明する。すなわち、遊園地などの入場券を台紙１１として、その台紙上に複数個のｍｉｃｒｏＳＤカード１３などが挿入された挿入ケース１２が添付されている。そして、ｍｉｃｒｏＳＤカード１３内には遊園地の乗り物の情報や食堂などの位置情報やイベント情報などを記憶させることができる。
【００４６】
入場券の台紙１１は、入場券本件１１ａと半券１１ｂとに分割可能に設けている。入場者は、ｍｉｃｒｏＳＤカード１３内に記憶された情報を基に携帯電話などを用いて確認することにより、遊園地内で行動しやすくなる。なお、実施例１で用いた符号は、図４に示した実施例３の入場券と同じ構成要素については同一のものを用いている。
【符号の説明】
【００４７】
１０  情報伝達物
１１  台紙
１２  挿入ケース
１３  ｍｉｃｒｏＳＤカード（記憶媒体）
１６  変換アダプタ
【図１】
0003151228.tif 000003
【図２】
0003151228.tif 000004
【図３】
0003151228.tif 000005
【図４】
0003151228.tif 000006
【手続補正書】
【提出日】平成21年3月27日(2009.3.27)
【手続補正１】
【補正対象書類名】図面
【補正対象項目名】図３
【補正方法】変更
【補正の内容】
【図３】
0003151228.tif 000007